(57)【要約】【課題】外部から入力した画像信号に基づく画像の表示および表示停止の切り替えを確実かつ容易に行い得る画像表示装置を提供する。【解決手段】外部から入力した画像信号に基づく画像Ｇｄ２〜Ｇｄ４を表示する表示部と、表示部を制御して画像の表示および表示停止を切り替える切り替え処理を行う制御部と、切り替え処理時に用いられる所定情報を記憶する記憶部とを備え、制御部は、切り替え処理において、画像内の比較領域Ａに所定情報が含まれているときには画像Ｇｄ２〜Ｇｄ４を表示させ、比較領域Ａに所定情報が含まれていないときには画像Ｇｄ２〜Ｇｄ４の表示を停止させる。【選択図】図５
2009053393.tif 000002
【特許請求の範囲】
【請求項１】
外部から入力した画像信号に基づく画像を表示する表示部と、前記表示部を制御して前記画像の表示および表示停止を切り替える切り替え処理を行う制御部とを備えた画像表示装置であって、
前記切り替え処理時に用いられる所定情報を記憶する記憶部を備え、
前記制御部は、前記切り替え処理において、前記画像内の所定領域に前記所定情報が含まれているときには当該画像を表示させ、前記所定領域に前記所定情報が含まれていないときには前記画像の表示を停止させる画像表示装置。
【請求項２】
前記制御部は、前記画像の表示停止状態において待機用画像を表示させる請求項１記載の画像表示装置。
【請求項３】
前記制御部は、前記画像の表示停止状態において所定の操作が行われたときに、前記画像の表示停止を解除して当該画像を表示させる請求項１または２記載の画像表示装置。
【請求項４】
外部から入力した画像信号に基づく画像を投写する投写部と、前記投写部を制御して前記画像の投写および投写停止を切り替える切り替え処理を行う制御部とを備えたプロジェクタであって、
前記切り替え処理時に用いられる所定情報を記憶する記憶部を備え、
前記制御部は、前記切り替え処理において、前記画像内の所定領域に前記所定情報が含まれているときには当該画像を投写させ、前記所定領域に前記所定情報が含まれていないときには前記画像の投写を停止させるプロジェクタ。
【請求項５】
外部から入力した画像信号に基づく画像を表示する表示部を制御して当該画像の表示および表示停止を切り替える切り替え処理を行う画像表示方法であって、
前記切り替え処理において、前記画像内の所定領域に所定情報が含まれているときには当該画像を表示させ、前記所定領域に前記所定情報が含まれていないときには前記画像の表示を停止させる画像表示方法。
【発明の詳細な説明】
【技術分野】
【０００１】
本発明は、外部から入力した画像信号に基づく画像の表示（または投写）および表示停止（または投写停止）を切り替える切り替え処理を行う画像表示装置、プロジェクタおよび画像表示方法に関するものである。
【背景技術】
【０００２】
近年、会議やプレゼンテーションにおいてプロジェクタを用いて説明用資料の画像を投写する際に、パソコンとプロジェクタとを接続して、パソコンを操作しつつパソコンのディスプレイに表示させた画像をプロジェクタに投写させる方法が一般化している。この場合、パソコンの検索用画像上で投写対象画像のデータを検索する間、その検索用画像がプロジェクタによって投写されたときには、機密のフォルダ名やデータ名が聴衆に知られたりして、好ましくないことがある。また、例えば、プレゼンテーションにおいて視覚的効果を狙って見栄えのよい画像を投写したとしても、デスクトップ画像や検索用画像が途中で投写されたときには、視覚的効果が低下することもある。このような不都合を解消するため、所定の操作を行うことで、外部（この場合パソコン）から入力した画像データに基づく画像の投写および投写停止を切り替える機能を備えたプロジェクタ（例えば、特開２００３−２８００８７号公報において出願人が開示したＡ／Ｖミュート機能を備えたプロジェクタ）が開発されている。
【特許文献１】特開２００３−２８００８７号公報（第３−６頁、第２図）
【発明の開示】
【発明が解決しようとする課題】
【０００３】
ところが、従来のプロジェクタには、解決すべき以下の課題がある。すなわち、従来のプロジェクタでは、所定の操作を行うことで、画像の投写および投写停止を切り替えている。つまり、画像の投写および投写停止を切り替えるためには、ユーザー（説明者）が所定の操作を行う必要がある。しかしながら、会議やプレゼンテーションにおいてユーザーが説明や発表を行いつつ上記した所定の操作を行うのは煩雑である。また、誤った操作によってデスクトップ画像や検索用画像などの意図しない画像が投写されるおそれもある。
【０００４】
本発明は、かかる改善すべき課題に鑑みてなされたものであり、外部から入力した画像信号に基づく画像の表示（または投写）および表示停止（または投写停止）の切り替えを確実かつ容易に行い得る画像表示装置、プロジェクタおよび画像表示方法を提供することを主目的とする。
【課題を解決するための手段】
【０００５】
上記目的を達成すべく本発明に係る画像表示装置は、外部から入力した画像信号に基づく画像を表示する表示部と、前記表示部を制御して前記画像の表示および表示停止を切り替える切り替え処理を行う制御部とを備えた画像表示装置であって、前記切り替え処理時に用いられる所定情報を記憶する記憶部を備え、前記制御部は、前記切り替え処理において、前記画像内の所定領域に前記所定情報が含まれているときには当該画像を表示させ、前記所定領域に前記所定情報が含まれていないときには前記画像の表示を停止させる。
【０００６】
また、本発明に係る画像表示方法は、外部から入力した画像信号に基づく画像を表示する表示部を制御して当該画像の表示および表示停止を切り替える切り替え処理を行う画像表示方法であって、前記切り替え処理において、前記画像内の所定領域に所定情報が含まれているときには当該画像を表示させ、前記所定領域に前記所定情報が含まれていないときには前記画像の表示を停止させる。
【０００７】
また、本発明に係るプロジェクタは、外部から入力した画像信号に基づく画像を投写する投写部と、前記投写部を制御して前記画像の投写および投写停止を切り替える切り替え処理を行う制御部とを備えたプロジェクタであって、前記切り替え処理時に用いられる所定情報を記憶する記憶部を備え、前記制御部は、前記切り替え処理において、前記画像内の所定領域に前記所定情報が含まれているときには当該画像を投写させ、前記所定領域に前記所定情報が含まれていないときには前記画像の投写を停止させる。
【０００８】
この画像表示装置、プロジェクタおよび画像表示方法によれば、外部から入力した画像信号に基づく画像内の所定領域に所定情報が含まれているときにはその画像を表示（投写）させ、含まれていないときにはその画像の表示（投写）を停止させることにより、所定領域に所定情報が含まれているか否かに基づいて画像の表示（投写）および表示（投写）停止の切り替えを自動的にしかも確実に行わせることができる。このため、この画像表示装置、プロジェクタおよび画像表示方法によれば、従来の表示装置、プロジェクタおよび表示方法とは異なり、ユーザーによる画像の表示停止を指示する操作を不要にできる分、ユーザーに対して、説明や発表に専念させることができる。また、この画像表示装置、プロジェクタおよび画像表示方法によれば、画像の表示（投写）および表示（投写）停止の切り替えを確実に行わせることができるため、誤った操作によって検索用画像が表示（投写）されることに起因して、機密のフォルダ名やデータ名が聴衆に知られたり、視覚的効果が低下したりする事態を確実に防止することができる。
【０００９】
また、本発明に係る画像表示装置は、上記の画像表示装置において、前記制御部は、前記画像の表示停止状態において待機用画像を表示させる。
【００１０】
この画像表示装置によれば、外部から入力した画像信号に基づく画像の表示停止状態において待機画像を表示させることにより、表示停止状態において何らの画像も表示されない状態が継続する構成とは異なり、聴衆に対して違和感を与える事態を確実に回避することができる。
【００１１】
また、本発明に係る画像表示装置は、上記の画像表示装置において、前記制御部は、前記画像の表示停止状態において所定の操作が行われたときに、前記画像の表示停止を解除して当該画像を表示させる。
【００１２】
この画像表示装置によれば、外部から入力した画像信号に基づく画像の表示停止状態において所定の操作が行われたときに、その画像の表示停止を解除してその画像を表示させることにより、所定領域に所定情報を含んでいない画像を投写する必要性が生じたときであっても所定の操作を行うだけで、その状況に確実に対応することができるため、画像表示装置の利便性を十分に向上させることができる。
【発明を実施するための最良の形態】
【００１３】
以下、本発明に係る画像表示装置、プロジェクタおよび画像表示方法の最良の形態について、添付図面を参照して説明する。図１に示すプロジェクタ１は、本発明に係るプロジェクタおよび画像表示装置の一例であって、本体部２およびリモコン３を備えて構成されている。本体部２は、同図に示すように、信号入力部１１、画像信号処理部１２、投写部１３、比較情報記憶部１４、キー入力処理部１５および制御部１６を備えて構成されている。なお、プロジェクタ１は、実際には、音声出力部を備えて音声を出力可能に構成されているが、本発明の理解を容易とするため、その図示および説明を省略する。
【００１４】
信号入力部１１は、外部（一例として、図２に示すパソコン２００）から出力された画像信号Ｓ１を入力して画像信号処理部１２に転送する。画像信号処理部１２は、信号入力部１１によって転送された画像信号Ｓ１を投写用データＤｉに変換して出力する。投写部１３は、本発明における投写部および表示部に相当し、光源、光変調素子（一例として、液晶ライトバルブやＤＭＤ（Digital Micromirror Device））、および投写レンズ（いずれも図示せず）を備えて構成され、画像信号処理部１２から出力される投写用データＤｉに基づいて光変調した投写光Ｌ（同図参照）を出力することにより、図２，５に示す画像Ｇ１〜Ｇ４（画像信号Ｓ１に基づく画像：以下、区別しないときには「画像Ｇ」ともいう）や、図５，６に示す待機画像Ｇｗをスクリーン１００（同図参照）に投写する。なお、ＤＭＤは米国テキサスインスツルメンツ社の商標である。
【００１５】
比較情報記憶部１４は、制御部１６によって実行される比較情報記録処理５０（図３参照）において抽出される比較情報Ｉｃ（本発明における所定情報）、および後述する比較領域Ａの位置や大きさを特定するための比較領域情報Ｉａを記憶する。この場合、比較情報Ｉｃは、制御部１６によって実行される切り替え処理６０（図４参照）において、画像Ｇの投写および投写停止の切り替えの決定に用いられる。キー入力処理部１５は、リモコン３から出力される赤外線信号Ｓ２を受光してリモコン３の各キーに対応する操作信号Ｓ３を出力する。制御部１６は、プロジェクタ１を構成する各構成要素を制御する。また、制御部１６は、図３に示す比較情報記録処理５０を実行することにより、比較情報Ｉｃを抽出して比較情報記憶部１４に記録する（記憶させる）。また、制御部１６は、図４に示す切り替え処理６０を実行することにより、画像Ｇの投写および投写停止を切り替える。
【００１６】
リモコン３は、図２に示すように、電源キー２１、比較情報記録キー２２、ジョグキー２３、開始キー２４および解除キー２５などの各種キーを備えて構成され、これらが操作されたときに各キーに対応する赤外線信号Ｓ２を出力する。
【００１７】
次に、プロジェクタ１の使用方法の一例、およびその際のプロジェクタ１の動作について、図面を参照して説明する。
【００１８】
例えば、プレゼンテーションにおいてプロジェクタ１を用いてパソコン２００に記録されている説明用資料の画像を投写する際には、事前の準備として、説明用資料の画像の所定部位（例えば左下隅部）に、後述する切り替え処理６０において画像Ｇの投写および投写停止の決定に用いられる比較情報Ｉｃ（例えば図２に示す「Confidential」の文字についての画像情報）を書き込んでおく。次いで、プロジェクタ１に対する比較情報Ｉｃの記録を行う。具体的には、図２に示すように、パソコン２００とプロジェクタ１とを接続ケーブルで接続した後に、リモコン３の電源キー２１を操作する。この際に、リモコン３が電源キー２１に対応する赤外線信号Ｓ２を出力し、次いで、キー入力処理部１５が赤外線信号Ｓ２を受光して電源キー２１に対応する操作信号Ｓ３を出力する。続いて、制御部１６が、操作信号Ｓ３に従ってプロジェクタ１を構成する各部を初期化し、次いで、図外の電源部を制御して各部に対する電源供給を開始させる。これに応じて、投写部１３の光源が点灯する。
【００１９】
続いて、パソコン２００を操作して、説明用資料のデータを呼び出して、その画像（例えば、図２に示す画像Ｇ１）をパソコン２００のディスプレイ２０１に表示させる。この際に、画像Ｇ１についての画像信号Ｓ１がパソコン２００から出力され、プロジェクタ１の信号入力部１１が、画像信号Ｓ１を入力して画像信号処理部１２に転送する。次いで、画像信号処理部１２が、転送された画像信号Ｓ１を画像投写用の投写用データＤｉに変換して投写部１３に出力する。続いて、投写部１３が、投写用データＤｉに基づいて光変調した投写光Ｌを出力する。これにより、図２に示すように、画像信号Ｓ１に基づく画像Ｇ１がスクリーン１００に投写される。
【００２０】
次いで、リモコン３の比較情報記録キー２２を操作する。続いて、制御部１６が、キー入力処理部１５から出力された比較情報記録キー２２に対応する操作信号Ｓ３に従い、図３に示す比較情報記録処理５０を実行する。この比較情報記録処理５０では、制御部１６は、画像信号処理部１２を制御することにより、図２に示すように、画像Ｇ１内にポインタＰを表示させる（ステップ５１）。次いで、リモコン３のジョグキー２３を操作してポインタＰを移動させ、画像Ｇ１内の任意の領域（本発明における所定領域であって、以下、「比較領域Ａ」ともいう）を設定する。
【００２１】
この場合、上記した「Confidential」の文字についての画像情報を比較情報Ｉｃとして指定するときには、例えば、図２に示すように、画像Ｇ１内におけるこの文字を含む矩形の範囲を設定する。続いて、制御部１６は、設定された比較領域Ａ内の画像情報を抽出する（ステップ５２）。次いで、制御部１６は、抽出した画像情報を比較情報Ｉｃとして比較情報記憶部１４に記録すると共に（ステップ５３）、比較領域Ａの位置や大きさを特定可能な比較領域情報Ｉａを比較情報記憶部１４に記録した後に、比較情報記録処理５０を終了する。以上により、事前の準備が完了する。
【００２２】
次に、プレゼンテーションにおいて実際に説明用資料の画像を投写する際には、上記した手順と同様にして、パソコン２００とプロジェクタ１とを接続した後に、プロジェクタ１を作動させる。続いて、パソコン２００を操作して説明用資料のデータを呼び出して、その画像Ｇ１をディスプレイ２０１に表示させる（図２参照）。この際に、画像Ｇ１についての画像信号Ｓ１がパソコン２００から出力される。次いで、リモコン３の開始キー２４を操作する。この際に、制御部１６は、開始キー２４に対応する操作信号Ｓ３に従い、図４に示す切り替え処理６０を実行する。この切り替え処理６０では、制御部１６は、比較情報記憶部１４に記録されている比較情報Ｉｃおよび比較領域情報Ｉａを読み出すと共に、比較領域情報Ｉａに基づいて比較領域Ａの位置や大きさを特定する。続いて、制御部１６は、投写用データＤｉに基づき、画像Ｇ１内の比較領域Ａにおける情報を抽出する（ステップ６１）。
【００２３】
次いで、制御部１６は、抽出した画像情報と比較情報Ｉｃを比較して、画像Ｇ１内の比較領域Ａに比較情報Ｉｃと同じ情報（「Confidential」の文字についての画像情報）が含まれているか否かを判別する（ステップ６２）。この場合、制御部１６は、比較情報Ｉｃと同じ情報が含まれるときには、投写部１３に対して、画像Ｇ１の投写を指示する（ステップ６３）。これにより、図２に示すように、画像信号Ｓ１に基づく画像Ｇ１がスクリーン１００に投写される。続いて、制御部１６は、画像信号Ｓ１が切り替えられたか否かを判別する（ステップ６４）。この場合、画像信号Ｓ１が切り替えらていないときには、制御部１６は、ステップ６４を繰り返して実行する。
【００２４】
次いで、パソコン２００を操作して（例えば、カーソルキーを用いたページ送りの操作）、次の画像（図５に示す画像Ｇ２）をディスプレイ２０１に表示させたときには、画像Ｇ２についての画像信号Ｓ１がパソコン２００から出力される。この際に、信号入力部１１が画像Ｇ２についての画像信号Ｓ１を入力し、これに応じて、制御部１６は、上記したステップ６４において、画像信号Ｓ１が切り替えられたと判別して、ステップ６１，６２を実行する。この場合、同図に示すように、次の画像Ｇ２内の比較領域Ａに比較情報Ｉｃと同じ情報が含まれているときには、制御部１６は、投写部１３に対して、画像Ｇ２の投写を指示する（ステップ６３）。これにより、同図に示すように、画像Ｇ２がスクリーン１００に投写される。
【００２５】
一方、上記した説明用資料のデータとは異なる２つ目の説明用資料のデータを呼び出して、その画像Ｇを投写させるときには、パソコン２００のディスプレイ２０１に図５，６に示す検索用画像Ｇｓを表示させて対象のデータを検索する必要がある。ここで、検索用画像Ｇｓ内の比較領域Ａに「Confidential」の文字についての画像情報が含まれていないときには、制御部１６は、上記したステップ６２においてその旨を判別して、投写部１３に対して画像Ｇの投写停止を指示すると共に、画像信号処理部１２および投写部１３に対して待機画像Ｇｗの投写を指示する（ステップ６５）。これに応じて、画像信号処理部１２は、待機画像Ｇｗ用の投写用データＤｉを生成して投写部１３に出力する。これにより、両図に示すように、待機画像Ｇｗがスクリーン１００に投写される。
【００２６】
この場合、このプロジェクタ１では、画像Ｇ内の比較領域Ａに比較情報Ｉｃと同じ情報が含まれているか否かに基づいて画像Ｇの投写および投写停止の切り替えが自動的にしかも確実に行われるため、従来の表示装置やプロジェクタとは異なり、画像Ｇの投写および投写停止の切り替えを指示する操作が不要となっている。したがって、このプロジェクタ１を用いることで、ユーザーは、説明や発表に専念することが可能となる。また、画像Ｇの投写停止が確実に行われるため、誤った操作によって検索用画像Ｇｓが投写されることに起因して、機密のフォルダ名やデータ名が聴衆に知られたり、視覚的効果が低下したりする事態が確実に防止されている。また、このプロジェクタ１では、画像Ｇの投写停止状態において待機画像Ｇｗが投写される。このため、画像Ｇの投写が停止している間に何らの画像も表示されない状態が継続する構成とは異なり、聴衆に対して違和感を与える事態を回避することが可能となっている。
【００２７】
続いて、検索用画像Ｇｓ上で２つ目のデータを呼び出して、その画像Ｇ３（図５参照）をディスプレイ２０１に表示させる。この際に、画像Ｇ３についての画像信号Ｓ１がパソコン２００から出力され、プロジェクタ１の信号入力部１１が、画像信号Ｓ１を入力して画像信号処理部１２に転送する。また、制御部１６は、ステップ６４において、画像信号Ｓ１が切り替えられたと判別して、ステップ６１，６２を実行する。この場合、画像Ｇ３内の比較領域Ａに「Confidential」の文字についての画像情報が含まれているときには、制御部１６は、ステップ６２においてその旨を判別して、投写部１３に対して、画像Ｇ３の投写を指示する（ステップ６３）。これにより、同図に示すように、画像Ｇ３がスクリーン１００に投写される。
【００２８】
次に、例えば、聴衆からの質問に答えるために、当初説明用資料として準備していた画像とは異なる画像を投写する必要が生じたときには、上記した検索用画像Ｇｓ上でその画像のデータ（３つ目のデータ）を検索して呼び出し、その画像Ｇ４（図５参照）をディスプレイ２０１に表示させる。ここで、新たな画像Ｇ４内の比較領域Ａに比較情報Ｉｃと同じ情報が含まれていないときには、制御部１６によって画像Ｇ４の投写停止が指示されて、画像Ｇ４が投写されないこととなる。このような事態を回避するため、このプロジェクタ１には、所定の操作を行うことで、比較情報Ｉｃと同じ情報を含んでいない画像Ｇ４の投写を可能とする機能が備えられている。
【００２９】
具体的には、上記の画像Ｇ４を投写させる際には、リモコン３の解除キー２５を操作する（本発明における所定の操作）。この際に、制御部１６は、解除キー２５に対応する操作信号Ｓ３に従って切り替え処理６０を中断して、画像Ｇ４の比較領域Ａに比較情報Ｉｃと同じ情報が含まれているか否かに拘わらず、投写部１３に対して画像Ｇ４の投写を指示する。これにより、図５に示すように、画像Ｇ４がスクリーン１００に投写される。このプロジェクタ１では、上記したように、比較情報Ｉｃと同じ情報を予め書き込んでいない画像Ｇを投写する必要性が生じた場合であっても、解除キー２５を操作するだけでその状況に確実に対応することが可能なため、利便性が十分に向上されている。
【００３０】
このように、このプロジェクタ１および画像表示方法によれば、画像Ｇ内の比較領域Ａに比較情報Ｉｃと同じ情報が含まれているときには画像Ｇを表示させ、含まれていないときには画像Ｇの表示を停止させることにより、比較領域Ａに比較情報Ｉｃと同じ情報が含まれているか否かに基づいて画像Ｇの投写および投写停止の切り替えを自動的にしかも確実に行わせることができる。このため、このプロジェクタ１および画像表示方法によれば、従来の表示装置、プロジェクタおよび表示方法とは異なり、ユーザーによる画像Ｇの表示（投写）停止を指示する操作を不要にできる分、ユーザーに対して、説明や発表に専念させることができる。また、このプロジェクタ１および画像表示方法によれば、画像Ｇの投写および投写停止の切り替えを確実に行わせることができるため、誤った操作によって検索用画像が投写されることに起因して、機密のフォルダ名やデータ名が聴衆に知られたり、視覚的効果が低下したりする事態を確実に防止することができる。
【００３１】
また、このプロジェクタ１および画像表示方法によれば、画像Ｇの投写停止状態において待機画像Ｇｗを表示させることにより、画像Ｇの投写が停止している間に何らの画像も表示されない状態が継続する構成とは異なり、聴衆に対して違和感を与える事態を確実に回避することができる。
【００３２】
また、このプロジェクタ１および画像表示方法によれば、画像Ｇの投写停止状態において解除キー２５が操作されたときに、画像Ｇの投写停止を解除して画像Ｇを表示させることにより、比較領域Ａに比較情報Ｉｃと同じ情報を含んでいない画像Ｇを投写する必要性が生じたときであっても解除キー２５を操作するだけで、その状況に確実に対応することができるため、プロジェクタ１の利便性を十分に向上させることができる。
【００３３】
なお、本発明は、上記の構成に限定されない。例えば、画像表示装置の一例としてのプロジェクタ１に適用した例について上記したが、ＬＣＤ、プラズマディスプレイおよびＣＲＴ等の表示部を備えた各種の画像表示装置に適用することができる。また、比較情報記録処理５０において、リモコン３を用いて比較領域Ａを指定する例について上記したが、パソコン２００のマウスやカーソルキーを用いて比較領域Ａを指定する構成を採用することもできる。また、比較情報記録処理５０によって抽出された比較情報Ｉｃを比較情報記憶部１４に記録する例について上記したが、パソコン２００等を用いて比較情報Ｉｃを比較情報記憶部１４に記録する構成を採用することもできる。また、比較情報記録処理５０および切り替え処理６０において、比較領域Ａ内の画像情報を抽出したり比較したりする例について上記したが、比較領域Ａ内に含まれる文字を文字情報（テキスト情報）として抽出したり比較したりする構成を採用することもできる。
【図面の簡単な説明】
【００３４】
【図１】プロジェクタ１の構成を示すブロック図である。
【図２】プロジェクタ１の使用方法を説明するための第１の説明図である。
【図３】比較情報記録処理５０のフローチャートである。
【図４】切り替え処理６０のフローチャートである。
【図５】画像Ｇ１〜Ｇ４、検索用画像Ｇｓおよび待機画像Ｇｗの投写画面図である。
【図６】プロジェクタ１の使用方法を説明するための第２の説明図である。
【符号の説明】
【００３５】
１  プロジェクタ、３  リモコン、１２  画像信号処理部、１３  投写部、１４  比較情報記憶部、１６  制御部、２５  解除キー、５０  比較情報記録処理、６０  切り替え処理、２００  パソコン、Ａ  比較領域、Ｇ１〜Ｇ４  画像、Ｇｗ  待機画像、Ｉｃ  比較情報、Ｓ１  画像信号
【図１】
2009053393.tif 000003
【図２】
2009053393.tif 000004
【図３】
2009053393.tif 000005
【図４】
2009053393.tif 000006
【図５】
2009053393.tif 000007
【図６】
2009053393.tif 000008